【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
１８０°／ｎ（ｎは２以上の自然数）のファン角θを有するファン形状の放射線を被検体の断面像撮影位置に放射する放射線源と、
前記放射線源に対向して固定されて当該放射線源とともに測定系を構成し、前記放射線源から放射された放射線を放射線透過信号として検出する放射線検出手段と、
前記放射線源から放射されたファン形状の放射線のファン面にそって、前記測定系と前記被検体とを相対的に移動させ、また前記ファン角θと同一角度だけ相対的にステップ回転させる駆動手段と、
前記駆動手段による移動を前記ステップ回転を挟んでｎ回行い、前記放射線検出手段によって検出される１８０°方向の放射線透過信号に基づいて、前記被検体の断面像を作成する第１のスキャン再構成手段と、
前記駆動手段による移動を前記ステップ回転を挟んでｍ×ｎ回（ｍは２以上の自然数）行い、前記放射線検出手段によって検出されるｍ組の１８０°方向の放射線透過信号に基づいて、前記被検体の断面像を作成する第ｍのスキャン再構成手段と、
前記第１のスキャン再構成手段又は前記第ｍのスキャン再構成手段のうちの指定された一方を動作させるように制御する制御手段と
を具備したことを特徴とするコンピュータ断層撮影装置。
【請求項２】
１８０°／ｎ（ｎは２以上の自然数）のファン角θを有するファン形状の放射線を被検体の断面像撮影位置に放射する放射線源と、
前記放射線源に対向して固定されて当該放射線源とともに測定系を構成し、前記放射線源から放射された放射線を放射線透過信号として検出する放射線検出手段と、
前記放射線源から放射されたファン形状の放射線のファン面にそって、前記測定系と前記被検体とを相対的に移動させ、また前記ファン角θと同一角度だけ相対的にステップ回転させる駆動手段と、
前記駆動手段による移動を前記ステップ回転を挟んでｍ×ｎ回（ｍは２以上の自然数）行い、前記放射線検出手段によって検出されるｍ×ｎ回分の前記放射線透過信号に基づいて、連続するｎ回毎に被検体の断面像を作成することで第１乃至第ｍの断面像を作成する再構成手段と、
前記再構成手段によって作成された第１乃至第ｍの断面像に基づいて、奇数番目の断面像と、この奇数番目の断面像に対して相対的に１８０°回転させた偶数番目の断面像とを合成して最終的な断面像を作成する合成手段と
を具備したことを特徴とするコンピュータ断層撮影装置。
【請求項３】
請求項１又は請求項２記載のコンピュータ断層撮影装置において、
前記作成された断面像又は作成途中の断面像を表示する表示手段を付加したことを特徴とするコンピュータ断層撮影装置。
【請求項４】
請求項３記載のコンピュータ断層撮影装置において、
スキャン動作中断命令を入力する入力手段を付加し、前記入力手段にスキャン動作中断命令が入力された際に、前記駆動手段による移動及びステップ回転を中断し、前記第ｍの再構成手段又は前記合成手段は前記作成途中の断面像を最終的な断面像とすることを特徴とするコンピュータ断層撮影装置。
【手続補正２】
【補正対象書類名】明細書
【補正対象項目名】００３４
【補正方法】変更
【補正の内容】
【００３４】
【課題を解決するための手段】
上記第１の目的を達成するために、請求項１の発明は、１８０°／ｎ（ｎは２以上の自然数）のファン角θを有するファン形状の放射線を被検体の断面像撮影位置に放射する放射線源と、放射線源に対向して固定されて当該放射線源とともに測定系を構成し、放射線源から放射された放射線を放射線透過信号として検出する放射線検出手段と、放射線源から放射されたファン形状の放射線のファン面にそって、測定系と被検体とを相対的に移動させ、またファン角θと同一角度だけ相対的にステップ回転させる駆動手段と、駆動手段による移動をステップ回転を挟んでｎ回行い、放射線検出手段によって検出される１８０°方向の放射線透過信号に基づいて、被検体の断面像を作成する第１のスキャン再構成手段と、駆動手段による移動をステップ回転を挟んでｍ×ｎ回（ｍは２以上の自然数）行い、放射線検出手段によって検出されるｍ組の１８０°方向の放射線透過信号に基づいて、被検体の断面像を作成する第ｍのスキャン再構成手段と、第１のスキャン再構成手段又は第ｍのスキャン再構成手段のうちの指定された一方を動作させるように制御する制御手段とを具備したコンピュータ断層撮影装置である。
【手続補正３】
【補正対象書類名】明細書
【補正対象項目名】００３７
【補正方法】変更
【補正の内容】
【００３７】
これにより、十分な画質の断面像を作成することが可能となる。次に、請求項２の発明は、１８０°／ｎ（ｎは２以上の自然数）のファン角θを有するファン形状の放射線を被検体の断面像撮影位置に放射する放射線源と、放射線源に対向して固定されて当該放射線源とともに測定系を構成し、放射線源から放射された放射線を放射線透過信号として検出する放射線検出手段と、放射線源から放射されたファン形状の放射線のファン面にそって、測定系と被検体とを相対的に移動させ、またファン角θと同一角度だけ相対的にステップ回転させる駆動手段と、駆動手段による移動をステップ回転を挟んでｍ×ｎ回（ｍは２以上の自然数）行い、放射線検出手段によって検出されるｍ×ｎ回分の放射線透過信号に基づいて、連続するｎ回毎に被検体の断面像を作成することで第１乃至第ｍの断面像を作成する再構成手段と、再構成手段によって作成された第１乃至第ｍの断面像に基づいて、奇数番目の断面像と、この奇数番目の断面像に対して相対的に１８０°回転させた偶数番目の断面像とを合成して最終的な断面像を作成する合成手段とを具備したコンピュータ断層撮影装置である。
【手続補正４】
【補正対象書類名】明細書
【補正対象項目名】００４４
【補正方法】変更
【補正の内容】
【００４４】
これにより、最低限のスキャン回数で、十分な品質の断面像を得ることができる。
【手続補正５】
【補正対象書類名】明細書
【補正対象項目名】００４５
【補正方法】削除
【補正の内容】
【手続補正６】
【補正対象書類名】明細書
【補正対象項目名】００４６
【補正方法】削除
【補正の内容】
【手続補正７】
【補正対象書類名】明細書
【補正対象項目名】００４７
【補正方法】削除
【補正の内容】
【手続補正８】
【補正対象書類名】明細書
【補正対象項目名】００４８
【補正方法】削除
【補正の内容】
【手続補正９】
【補正対象書類名】明細書
【補正対象項目名】００４９
【補正方法】削除
【補正の内容】
【手続補正１０】
【補正対象書類名】明細書
【補正対象項目名】００５０
【補正方法】削除
【補正の内容】
【手続補正１１】
【補正対象書類名】明細書
【補正対象項目名】００５１
【補正方法】削除
【補正の内容】
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】削除
【補正の内容】
【手続補正１４】
【補正対象書類名】明細書
【補正対象項目名】００５４
【補正方法】削除
【補正の内容】
【手続補正１５】
【補正対象書類名】明細書
【補正対象項目名】００５５
【補正方法】変更
【補正の内容】
【００５５】
【発明の実施の形態】
以下、本発明及び別の発明の実施の形態について図面を参照して詳細に説明する。
（第１の実施の形態）
本発明の本実施の形態においては、スキャンの重複度が選択可能であり、２重スキャン以上のスキャンを実行する場合には、実行したスキャン分の断面像を合成して最終の断面像を作成するコンピュータ断層撮影装置である。
【手続補正１６】
【補正対象書類名】明細書
【補正対象項目名】０１０７
【補正方法】変更
【補正の内容】
【０１０７】
（第２の実施の形態）
別の発明の本実施の形態に係るコンピュータ断層撮影装置は、例えば放射線検出器に照射される放射線量が変化する等のように、放射線照射の状況が変更された際に、この変更された放射線照射の状況に応じて、放射線フィルタを切り換えることで、常に高品質の断面像の作成を可能にする。
【手続補正１７】
【補正対象書類名】明細書
【補正対象項目名】図５
【補正方法】変更
【補正の内容】
【図５】
別の発明による第２の実施の形態に係るコンピュータ断層撮影装置のシステム構成を示すブロック図。